(57)【要約】      （修正有）【課題】冬期の脱衣・入浴前後の温度変化が大きい脱衣室・浴室での高齢者に対する健康障害（循環器系疾患や脳血管障害）等の危険や、また、浴室には一般に小型の窓があるが、換気が充分に行われずカビの発生がし易く、雨天の多い梅雨期には洗濯物が乾燥しにくく居室に吊下げざるをない不便さを解消する養護装置を提供する。【解決手段】暖換体は、浴室の小型の窓に装備される換気扇（時限扇）と、浴室に隣設された脱衣室に装備された暖房器と、脱衣室の出入部に装備され空気の流通を抑制する抑制材付の開閉体と、を具備して構成した。【選択図】図１
2007132643.tif 000002
【特許請求の範囲】
【請求項１】
浴室の窓に装備された換気扇（時限扇）と、
該浴室に出入自在に隣接された脱衣室に装備された暖房器と、
該脱衣室の出入部に装備され空気の流通を抑制する抑制材付の開閉体と、
を具備した暖換体を有する養護装置。
【請求項２】
前記換気扇（時限扇）は、標準的な電動扇の連結手段を備えた連結材と、
該連結材に対応する被連結手段を備え大多数の浴室の窓に装備されるよう特注仕様に形成され他種類の浴室の窓に対応して取付られる取付材と、
を具備した請求項１に記載の暖換体を有する養護装置。
【請求項３】
脱衣室の出入部の上枠に沿って固設されたカーテンレール状の開閉枠と、
該開閉枠を挿通し出入部の上枠に付設するための付設片と、
該開閉枠の開口縁に近接して滑動可能に吊下げられる滑枠と、
該滑枠に上縁が連結され下端縁が床面に近（当）接される布・シート状の開閉材と、
を具備した請求項１に記載の暖換体を有する養護装置。
【請求項４】
前記暖房器は、一般の居室と脱衣室とで共同使用されるよう現存暖房器を載置して移動しうるキャスターと停止片を備えた移動台
を具備した請求項１に記載の暖換体を有する養護装置。
【請求項５】
浴室と脱衣室との入口戸を開放し脱衣室の開閉体を閉鎖して脱衣室に装備された暖房器によって該脱衣室・該浴室の空気を暖房する暖房段階と、
該脱衣室で脱衣し該浴室の浴槽に入浴する入浴段階と、
入浴後該入口戸、該開閉体を開放して前記換気扇（時限扇）を回動して該浴室・該脱衣室の空気を屋外に放出する換気段階と、
を具備した暖換体の使用方法を有する養護装置の使用方法。
【発明の詳細な説明】
【発明の詳細な説明】
［        ］
［発明の属する技術分野］
本発明は養護装置とその使用方法に関し、より詳しくは住宅の浴室・脱衣室に換気扇（時限扇）・暖房器を装備し、暖房器により脱衣室・浴室を冬期に加熱して脱衣や入浴前後の急激な室温の低下による高令者の健康障害（循環器疾患や脳血管障害）等の危険を経済的に未然に防止し、併せて浴室の換気によってカビの発生を極力抑制し、かつ脱衣室・浴室を洗濯物の乾燥室として雨天時等に活用し、極めて経済的に日常生活の多目的の養護を図るものである。
［        ］
［従来の技術］
従来の脱衣室・浴室は冬期に余りにも脱衣・入浴時前後の温度変化が大きかったので高令者は健康障害（心筋梗塞等の循環器系疾患や脳梗塞・脳出血等の脳血管障害）のため不幸な突発的事故が交通事故の件数を上廻る危険があった。このため、浴室のみを暖房する設備は市販されているが、浴室専用の暖房機は高価であり、年金生活の高令者には取付ることは困難であり上記危険は残存していた。また、浴室には小型の窓があるのが普通であるが、換気が充分に行われず、従ってカビの発生が特に春・夏・秋期に多くなり、浴室の清掃は欠くことができず、特に高令者・女性には大変な重労働であったが衛生のためには止む得なかった。さらに、特に雨天の多い梅雨期には洗濯物が乾燥しにくく、一般の居室に吊下げて乾燥することが多かったが、日常生活に支障をきたし不便さが強く残った。
現在、乾燥機付の洗濯機は市販されているが相当高価であり、消費電力が大きく一般市民特に高令者は購入することが難しく居室に吊下げざるを得なかった。
本発明の第１の目的は、入浴時の家族の快適と高令者の健康障害の回避である。
本発明の第２の目的は、浴室の換気による浴室内のカビの発生の抑制である。
本発明の第３の目的は、雨天時の洗濯物の乾燥である。
［        ］
（１−１）実施例  暖換体  本発明を（１−１）実施例について図を参照して説明する。図の図（ａ）は暖換体の一実施例を示す斜視図、図（ｂ）は同上実施例の平面図、図（ｃ）は同上実施例の１例の側面図である。暖換体は、浴室の窓に装備された換気扇（時限扇）と、浴室に隣設された脱衣室に装備された暖房器と、脱衣室の出入部に装備された開閉体と、を具備して構成され、脱衣や入浴の前後の急激な温度の変化を少くして家族の快適さを図り高令者の健康障害を防止し、浴室の換気によってカビの発生を抑制し、脱衣室・浴室を洗濯物の乾燥室として活用することによって雨天等の多い梅雨期の便宜を図り、経済的に多目的の養護を図るものである。本実施例の暖換体は換気扇と、暖房器と、開閉体と、で成る。
○換気扇は、標準的な電動扇を連結する連結手段を備えた連結材と、連結材に対応する被連結手段を備え、他種類の浴室の窓に対応して取付られる取付材と、を備え、大多数の浴室の窓に装備し得る最適な構成にして、電動扇の品質の維持と全体の経済性を図る。（１−２実施例参照）換気扇は時限扇として構成しタイマーにより自動停止すればさらによい。
○暖房器は、一般には石油温風ヒータやガスヒータ等の中経済的なもの脱衣室に適合したものが用いられる。石油温風ヒータの場合一般の居室のものと共同使用されるよう移動台を備えてもよい。移動台の小車はストッパー付で地震時等に移動しないような手段が設けられる。移動台は別に製造・販売され、現在居室で使用されているものが載置されてもよいが限定はされない。
○開閉体は、現存の脱衣室がすでに開閉ドア等を装備している場合は、そのままでもよく、また空隙のできる隙間には空気の流通を抑制する抑制材が付設されてもよい。また、現存の脱衣室が通常のカーテン等である場合は、空気の流通を抑制する抑制材を装備したものが最適である。（１−３実施例参照）
＜暖換体の使用方法＞は、暖房段階と、入浴段階と、換気段階と、を経ることによって、例えば暖房器が石油やガスを燃焼するものであっても健康によくない排気ガスは廊下や居室には排出されず屋外に排出される。
［        ］
（１−２）実施例  換気扇（時限扇）  次に（２−３）実施例について図を参照して説明する。図は一部開放した開放窓に取付られた窓体（時限扇）の一実施例を示す。この時限扇は設定時間でモータの回転が停止されるタイマーを装備した窓換気扇である。この時限窓は数カ月使用の前後に着脱が容易なように構成され、夏期の夜間に設定時間程屋外の自然の冷気を居室に導入して、長時間エアコンに頼ることなく消費電力の節減を図るものである。この時限扇は、現在市販されている窓換気扇にタイマーを装備したものでも、エアコンの代用として設定時間まで冷気を導入し消費電力の節減は成しうる。しかし、着脱が容易であること、窓ガラスの開閉が自由にできるようにし窓ガラスに鍵がかけられるようにすること、のために以下のように構成される。この時限扇は、窓の上窓枠（下窓枠）・側窓枠に着脱可能に仮結合される上縁（下縁）・側縁を有する結合縁を備えている。この着脱可能な仮結合のためには結合手段が設けられている。結合手段は、例えば取付板である。取付板はあらかじめ多数の木ネジによって充分な強度で上記の各々の枠に固設される。上窓縁には通常カーテンレールが付設されるのでそれに支障ないよう固設される。取付板には比較的大きく強度も充分な取付ネジを螺合するネジ孔が形成され、結合縁には取付ネジを挿通するネジ挿通孔が形成される。または取付板には係合片が突設され、結合縁には係合孔が形成されてもよい。結合手段は上記の取付板に限定されず他の構成でもよい。時限扇以外の窓の余開放窓には被板が仮結合される。被板は例えば結合縁と全く同じ厚さで、同じ間隔のネジ挿通孔または係合孔を備えた本板で、個有の窓の長さに合せて切断が可能である。そして、余開放窓の各々の枠は、時限扇の結合縁に対応する共通の取付板が固設される。なお、時限扇は仮結合された状態では、翼やモータ等は窓ガラスの開閉に支障する凸部がないように製作される。
［        ］
（１−３）実施例  開閉体（軽引戸）  次に、（３−１）実施例について図を参照して説明する。図の図（ａ）は開閉体（引戸）の一実施例を示す正面図、図（ｂ）は開閉体（軽引戸）の構造を示す縦断面図、図（ｃ）は斜視図である。この開閉体（軽引戸）は、居室を冷暖房する時間のみ開放状態を維持した常設の重厚な重引戸の代りに、極めて軽快に開閉する軽引戸を臨時的に開閉しうるよう装備し、できれば自動閉鎖するよう装備して、居室の冷暖房された空気の放散を防ぎ、又は廊下の冷暖房を不要にして、冷暖房に必要とされる消費電力や枯渇が予測される資源の消費の節減を図るものである。この開閉体（軽引戸）は、開閉枠と、滑枠と、開閉材と、弾性材と、で構成される。
▲１▼開閉枠は、通常型、または幅細型、または縦型のカーテンレール状に形成され、重引戸が装備されている出入部の上枠（上敷居）に密接して付設される。
▲２▼滑枠は、例えば細枠状に形成され上側部に滑具が装備されている。
滑具は例えばナイロン等で短い輪状に形成され、芯棒で回動するように結合されている。滑枠は、滑動する剛体でありながら通気が抑制されるために、開閉枠に近接する近接片が略水平方向に突設されている。滑枠の下縁には、例えばマジックテープ等の連結部を付設している。また、滑枠は子供でも手が届く高さに操作枠が延設されていると都合がよい。
▲３▼開閉材は、軽量で平面状の布材または透明材で矩形に形成され、その上縁は連結部に着脱可能に連結されるよう、例えばマジックテープ等が付設されている。開閉材は、その下端縁が床面に近（当）接する長さに形成され吊下げられる。開閉材の下縁には床面との間隔調節用の調節片がマジックテープ等で付設される。開閉材の側縁には抑制縁が付される。
▲４▼弾性材は、軽引戸が自動閉鎖するためのものである。滑枠の一端に接続された引紐が回車を介して垂直方向の弾性材に接続されている。回車を介する必要なく水平方向に引かれればさらに良い。
［        ］
【発明の効果】
本発明は上記したように構成されているので下記の効果があると推定される。
（１）暖換体は換気扇と、暖房器と、開閉体を、を具備しているので、浴室に入浴時は暖房器によって脱衣室と浴室とを必要程度程に暖房され、従って特に冬期に脱衣や入浴時に寒さが身に浸むことなく充分に暖った状態で入浴できる。脱衣や入浴時に寒さがひどいと急激な温度変化に対応しきれず、特に高令者は健康障害（心筋梗塞等の循環器系疾患や脳梗塞・脳出血等の脳血管障害）で危険な状態になることが多い。不幸にして突発的事故は６５才以上の高令者が全体の８割を占め交通事故の件数を上廻っていたがこの危険が回避され養護されると推定される。また、高令者以外でも一般の家族全員にとっても冬期の入浴は厳しく身に浸みる程つらいものであるが脱衣室・浴室が充分に暖房されることによって極めて快適に入浴できる。また、浴室に換気扇（時限扇）を装備しているので、家族の入浴が終了後、少くとも一定時間程換気をすれば湿気が貯ることがないのでカビの発生を防止できる。浴室の清掃は特に高令者や女性には重労働であるがこれが間隔を相当おいて少数回清掃すれば良いことになる。さらに、暖換体は洗濯物を乾燥させる乾燥室として活用できるので特に梅雨期の洗濯物の乾燥に好都合である。特別に乾燥機を購入しなくてもよいので経済的で節電にもなる。
（２）暖換体は、連結材と取付材との併用によって換気扇を標準品を活用できるから、品質、コスト、等種々の面に有利になる。取付材は団地等のまとまった多数個の浴室に適用できるので便利である。取付材は材質を選択でき経済的である。
（３）脱衣室の出入部が通常のカーテン等が使用されている場合でも開閉枠、付設枠、滑枠、開閉材を備えた開閉体を活用することで廊下等との空気の流通が抑制されるから、極めて経済的に略密閉型の脱衣室を提供することが可能になる。
（４）暖房器を活用必要時のみ一般の居室と脱衣室とで共同使用できるので特別に暖房器を購入する費用を節減し得る。ストッパーを装備すれば地震対策になる。
（５）各段階を備えることで暖房機による石油やガスの燃焼による有害を燃焼ガスを廊下〜一般居室に残存させることなく使用後に部分換気でき健康に良い。
【図面の簡単な説明】
【図１】本発明養護装置の暖換体の一実施例を示す図である。
【図２】暖換体の換気扇の一実施例を示す図である。
【図３】暖換体の開閉体の一実施例を示す図である。
【符号の説明】
【図１】
2007132643.tif 000003
【図２】
2007132643.tif 000004
【図３】
2007132643.tif 000005